(57)【特許請求の範囲】
【請求項１】
上鏝と下鏝の間に中鏝が設けられ、下鏝と中鏝の間にズボンの一方の脚を、上鏝と中鏝の間にズボンの他方の脚を配置し、上鏝と中鏝と下鏝でズボンの両脚を挟んでプレス仕上げするズボン仕上げ機の上鏝及び下鏝用のカバーであって、上鏝と下鏝のプレス面に対応するカバー本体部分の内側周辺部で、少なくともズボンの股が配置される中鏝の側端部に対応する箇所が、非通気性に形成されていることを特徴とするズボン仕上げ機の鏝用カバー。
【請求項２】
請求項１記載のズボン仕上げ機の鏝用カバーであって、内側周辺部の非通気性が、内側周辺部に対応するカバーの裏側箇所に、非通気性の布が設けられることで形成されていることを特徴とするズボン仕上げ機の鏝用カバー。
【発明の詳細な説明】
【技術分野】
【０００１】
本発明は、上鏝と下鏝の間に中鏝が設けられているズボン仕上げ機に関し、更に詳しくは上鏝と下鏝に被せて使用するカバーに関するものである。
【背景技術】
【０００２】
従来、この種の仕上げ機としては、例えば特許文献１、同２に記載されているものがある。この従来機は、ズボンの一方の脚を中鏝と下鏝の間に、他方の脚を中鏝と上鏝の間に配置し、上鏝を押圧することにより、ズボンの両脚を一度にプレス仕上げするよう形成されている。
また従来、この種の仕上げ機は、ズボンの脚を蒸らして皴を伸ばすことができるよう、上鏝と下鏝のプレス面からスチームを噴出可能に形成されている。
【０００３】
而して、この種の仕上げ機の上鏝と下鏝に使用するカバーは、従来、全面が通気性に形成されているのに過ぎなかった。
【０００４】
そのため、従来は、ズボンの股が配置される中鏝の側端部に対応する上鏝と下鏝の箇所から噴出するスチームで、ズボンの股が蒸らされた。
その結果、従来、この種の仕上げ機を使用すると、ズボンの股や股上に皴が付き、ズボンを綺麗に仕上げることができない、という問題点があった。
【０００５】
また従来、この種の仕上げ機は、このように脚の部分に止まらず、股の箇所まで蒸らされたから、その分、スチームの噴出量や噴出時間が余計にかかり、コストや処理時間が増加するのを避けられなかった。
【０００６】
またこの種の仕上げ機は、ズボンのセット時に、下鏝の内部を排気し、脚を下鏝のプレス面（上面）に吸着させて行うのが通例である。そして、この場合、下鏝のプレス面は、ズボンの股に対応する部分を含め、その全体が吸着面化するものである。
従って、従来品によると、下鏝のプレス面の全体が吸着面化する分、吸引効率が悪くなる、という問題点があった。
【先行技術文献】
【特許文献】
【０００７】
【特許文献１】特開平５−１３１１００号公報
【特許文献２】特開２００９−１８９６７０号公報
【発明の概要】
【発明が解決しようとする課題】
【０００８】
本発明は、このような従来技術の問題点に鑑み、提案されたものである。
従って、本発明の解決しようとする技術的課題は、上鏝と下鏝のプレス面から噴出するスチームでズボンの股や股上に皴が付くことを防止し、ズボンを綺麗に仕上げることができるよう、またスチームの噴出量の低減化や噴出時間の短縮化、及び下鏝の吸引効率のアップにも寄与できるよう形成したズボン仕上げ機の鏝用カバーを提供することにある。
【課題を解決するための手段】
【０００９】
本発明は、上記の課題を解決するため、次のような技術的手段を採る。
即ち、本発明は、図１等に示されるように、上鏝１と下鏝２の間に中鏝３が設けられ、下鏝２と中鏝３の間にズボン４の一方の脚４ａを、上鏝１と中鏝３の間にズボン４の他方の脚４ｂを配置し、上鏝１と中鏝３と下鏝２でズボン４の両脚４ａ、４ｂを挟んでプレス仕上げするズボン仕上げ機の上鏝１及び下鏝２用のカバーであって、上鏝１と下鏝２のプレス面に対応するカバー本体部分６の内側周辺部６ａで、少なくともズボン４の股４ｄが配置される中鏝３の側端部３ａに対応する箇所６ａ１が、非通気性に形成されていることを特徴とする（請求項１）。
【００１０】
ここで、上鏝１と下鏝２のプレス面とは、上鏝１の上面、下鏝２の下面の全体（全面）を意味する。また少なくとも、とは、カバー本体部分６の内側周辺部６ａの全体（全部）が非通気性に形成されている場合には限られない、ということを意味する。これは、少なくともズボン４の股４ｄが配置される中鏝３の側端部３ａに対応する箇所６ａ１が非通気性に形成されていれば、本発明の課題を最低限達成できることからである。
【００１１】
而して、本発明は、内側周辺部６ａの非通気性が、内側周辺部６ａに対応するカバーの裏側箇所に、非通気性の布７が設けられることで形成されているのが好ましい（請求項２）。
【００１２】
なぜならこれによると、カバーの縫製工程で、非通気性の布７を、例えば縫い付けることにより、簡単、迅速且つ低コストで、内側周辺部６ａの非通気性を実現できるからである。
【発明の効果】
【００１３】
本発明のカバーは、このように上鏝と下鏝のプレス面に対応するカバー本体部分の内側周辺部で、少なくともズボンの股が配置される中鏝の側端部に対応する箇所が、非通気性に形成されている。
【００１４】
従って、本発明の場合は、プレス仕上げの際に、スチームを鏝の外へ漏らさないので、ズボンの股や股上が蒸らされることを防止できる。
その結果、これによれば、これらの箇所に皴が付くことを防止でき、ズボンを綺麗に仕上げることができる。
【００１５】
また本発明の場合は、スチームが上鏝と下鏝のプレス面の全体（全面）から噴出する従来品に比べ、内側周辺部に非通気性の箇所が形成されている分、余計なスチームの噴出を抑えることができる。
従って、これによれば、スチームの噴出量の低減化や噴出時間の短縮化に寄与できる。
【００１６】
また本発明は、非通気性の内側周辺部によって、下鏝の吸着面積を狭めることができる。
従って、これによれば、ズボンの脚を、小さな吸引力で効率良く吸着できる。
なお、本発明の場合、このようなスチームの噴出量の低減化や、吸引効率の向上等の効果は、内側周辺部の全体を非通気性に形成する場合が最も高く得られるものである。
【図面の簡単な説明】
【００１７】
【図１】本発明のカバーの好適な一実施形態を示し、Ａは各鏝の関係を示す要部側面図、Ｂはカバーの展開状態の平面図である。
【図２】ズボン仕上げ機の斜視図である。
【図３】カバーの展開状態の底面図である。
【図４】カバーの使用状態時の平面図である。
【図５】図４のＶ−Ｖ線における要部拡大断面図である。
【図６】ズボン仕上げ機の要部斜視図である。
【発明を実施するための形態】
【００１８】
以下、本発明の好適な一実施形態を、添付図面に従って説明する。
本発明品は、ズボン仕上げ機の上鏝１と下鏝２に被せて使用するカバーである。ズボン仕上げ機は、図２に示されるように、上鏝１と、下鏝２と、この上鏝１と下鏝２の間に中鏝３が設けられている。
【００１９】
ズボン４は、図１等に示されるように、一方の脚４ａが下鏝２と中鏝３の間に、他方の脚４ｂが上鏝１と中鏝３の間に配置される。そして、両脚４ａ、４ｂが、中鏝３を介して挟まれた状態で、上鏝１が中鏝３を介して下鏝２を押圧することにより、一度にプレス仕上げされる。なお、５（図２、図６参照）は、ズボン４の股上４ｃを支持する台である。
【００２０】
上記の上鏝１と下鏝２は、外部から供給するスチームでズボン４の両脚４ａ、４ｂを蒸らすことができるよう形成されている。また中鏝３は、その上面と下面に、ズボン４の両脚４ａ、４ｂを、吸引機（図示せず）で吸着可能に形成されている。
なお、この実施形態の場合、下鏝２は、スカート等を吸着してアイロンをかけるのに使用できるよう、バキューム機能を備えて形成されている。
【００２１】
而して、本発明のカバーは、図１に示されるように、上鏝１と下鏝２のプレス面に対応するカバー本体部分６の内側周辺部６ａで、少なくともズボン４の股４ｄが配置される中鏝３の側端部３ａに対応する箇所６ａ１が、非通気性に形成されている。この実施形態の本発明品は、中鏝３の側端部３ａに対応する箇所６ａ１に止まらず、内側周辺部６ａの全体が、非通気性に形成されている。
【００２２】
この内側周辺部６ａの非通気性は、図３、図５に示されるように、この実施形態では内側周辺部６ａに対応するカバーの裏側箇所に、非通気性の布７が帯状に設けられることで実現されている。具体的には、非通気性の布７が、カバーの裏側に縫い付けられている。８は、縫い目である。
【００２３】
またこの実施形態の場合、ズボン４の股４ｄが配置される中鏝３の側端部３ａに対応する箇所６ａ１の幅Ｗ１（図３、図４参照）は、他の内側周辺部６ａの幅Ｗ２より広く形成されている。これは、股４ｄがスチームで蒸らされるのを、より確実に防止するためである。
【００２４】
また本発明のカバーは、図１Ｂ、図３等に示されるように、上鏝１と下鏝２のプレス面に対応するカバー本体部分６の周囲に、外側周辺部９が形成されている。この外側周辺部９は、カバー本体部分６に縫い付けられている。また、図５に示されるように、外側周辺部９の外周縁は、内側に環状に折り返されて縫い合わされ、紐１０が通されている。
【００２５】
なお、下鏝２のプレス面には、図５に示されるように、マット１１が敷かれている。マット１１は、上鏝１のプレス面にも同様に敷かれている。また上鏝１と下鏝２のプレス面は、スチームの噴出孔１２が全面に多数形成されている。
なお、図６において、１３は、カバーを緊張するための伸縮バンドである。
【００２６】
次に、本発明の作用を説明する。
本発明品は、上鏝１、下鏝２に被せられ、紐１０が締め付けられることで、上鏝１、下鏝２に装着される。この場合、作業者は、上記の伸縮バンド１３を、外側周辺部９の外周縁に架け渡し、カバー本体部分６に、皴が生じないよう緊張する。
【００２７】
而して、ズボン４のプレス作業は、図１Ａ、図６に示されるように、先ず、ズボン４の一方の脚４ａを下鏝２の上面にセットし、中鏝３を降ろした後、この中鏝３の上面に、ズボン４の他方の脚４ｂをセットする。この場合、脚４ａ、４ｂは、不用意に動かないよう、下鏝２の上面と、中鏝３の上下面に吸着される。
【００２８】
次に、上鏝１が、中鏝３を介して下鏝２に所定の時間だけ押し付けられ、同時に上鏝１や下鏝２の内部からスチームが噴出し（図５の矢印を参照）、ズボン４の脚４ａ、４ｂが蒸らされる。
【００２９】
この場合、この実施形態の本発明のカバーは、上記の通り、上鏝１と下鏝２のプレス面に対応するカバー本体部分６の内側周辺部６ａが、非通気性に形成されている。
【００３０】
従って、本発明のカバーによると、スチームは、ズボン４の股４ｄが配置される中鏝３の側端部３ａに対応する箇所６ａ１を含め、カバー本体部分６の内側周辺部６ａからは噴出しない。
その結果、ズボン４の股４ｄや股上４ｃの箇所がスチームで蒸らされることがないから、これによれば、股４ｄ等に皴が付くことを防止できる。
【００３１】
以上の処において、上例では、上鏝１と下鏝２のプレス面に対応するカバー本体部分６の内側周辺部６ａの全体（全部）が非通気性に形成されているが、本発明は、これに限定されるものではない。即ち、本発明は、内側周辺部６ａのうちで、少なくともズボン４の股４ｄが配置される中鏝３の側端部３ａに対応する箇所６ａ１が、非通気性に形成されているのであれば良い。
【００３２】
また本発明は、非通気性の形成の仕方も上例には限られない。他の手段としては、例えば樹脂剤を塗布したり、コーティングして非通気性の被膜を形成する方法がある。
【符号の説明】
【００３３】
１      上鏝
２      下鏝
３      中鏝
３ａ    側端部
４      ズボン
４ａ    一方の脚
４ｂ    他方の脚
４ｃ    股上
４ｄ    股
６      カバー本体部分
６ａ    内側周辺部
６ａ１  ズボンの股が配置される中鏝の側端部に対応する箇所
【図１】
0006496595.tif 000002
【図２】
0006496595.tif 000003
【図３】
0006496595.tif 000004
【図４】
0006496595.tif 000005
【図５】
0006496595.tif 000006
【図６】
0006496595.tif 000007